(57)【要約】【課題】電子マネーの入金処理に異常が発生したときに返却された投入貨幣が持ち去られることのない電子マネー入金機を提供する。【解決手段】投入紙幣を収容する紙幣収容部１２１と、紙幣を投入した利用者を検出する人感センサ１０２と、電子マネーの入金処理に異常が発生したときに投入貨幣の返却準備を行うとともに、投入紙幣の返却準備中の状態において利用者が人感センサ１０２によって検出されなかった場合に、投入紙幣を紙幣収容部１２１に格納するように制御する制御部１６０とを備えたので、例えば、電子マネーの入金処理に異常が発生したにも拘らず、入金処理が正常に終了したと誤認した利用者がその場を離れた場合には、投入紙幣を紙幣収容部１２１に格納することができる。従って、返却された投入紙幣が自由に取出されることを防止することができ、投入紙幣が第三者によって持ち去られることを確実に防止することができる。【選択図】図２
2008234107.tif 000002
【特許請求の範囲】
【請求項１】
電子マネーサービスで用いられる電子マネーの残高が記憶された記憶媒体に対してデータの読み書きを行うリーダライタを備え、リーダライタを介して投入貨幣の金額を記憶媒体の電子マネー残高に加算することにより電子マネーの入金処理を行うようにした電子マネー入金機において、
投入貨幣を収容する貨幣収容部と、
貨幣を投入した利用者を検出する利用者検出部と、
前記入金処理に異常が発生したときに投入貨幣を返却可能にするとともに、投入貨幣が返却可能な状態において利用者が利用者検出部によって検出されなかった場合に、投入貨幣を貨幣収容部に格納するように制御する制御手段とを備えた
ことを特徴とする電子マネー入金機。
【請求項２】
前記制御手段を、投入貨幣が返却可能な状態において利用者が利用者検出部によって検出されず、且つリーダライタを介して通信可能な記憶媒体が存在しない場合に、投入貨幣を貨幣収容部に格納するように構成した
ことを特徴とする請求項１記載の電子マネー入金機。
【請求項３】
前記制御手段を、投入貨幣が返却可能な状態において利用者が利用者検出部によって検出されなかった場合に、投入貨幣を貨幣収容部に格納するとともに投入貨幣の金額を所定の記憶部に記憶するように構成した
ことを特徴とする請求項１または２記載の電子マネー入金機。
【請求項４】
前記記憶部をネットワークで接続された所定の管理サーバに設けた
ことを特徴とする請求項３記載の電子マネー入金機。
【請求項５】
前記制御手段を、投入貨幣が返却可能な状態において利用者が利用者検出部によって検出されなかった場合に、リーダライタを介して読み出された記憶媒体の識別情報と投入貨幣の金額を前記記憶部に記憶した後、その記憶媒体の識別情報がリーダライタを介して読み出されると、識別情報とともに記憶部に記憶された投入貨幣の金額を記憶媒体の電子マネー残高に加算可能に構成した
ことを特徴とする請求項３または４記載の電子マネー入金機。
【発明の詳細な説明】
【技術分野】
【０００１】
本発明は、例えば電子乗車券や電子決済等に用いられる電子マネーサービスの電子マネー残高を記憶する記憶媒体に対して、電子マネーの入金処理を行う電子マネー入金機に関するものである。
【背景技術】
【０００２】
従来、この種の電子マネー入金機として、電子マネーサービスで用いられる電子マネーの残高が記憶された記憶媒体に対してデータの読み書きを行うリーダライタを備え、リーダライタを介して投入貨幣の金額を記憶媒体の電子マネー残高に加算することにより電子マネーの入金処理を行うようにしたものが知られている（例えば特許文献１参照）。
【０００３】
このような電子マネー入金機では、貨幣投入後において電子マネーの入金処理に異常が発生すると、投入貨幣を利用者によって取出し可能な状態で露出させることにより投入貨幣を返却するようになっている。
【特許文献１】特開２００３−３６４６６号公報
【発明の開示】
【発明が解決しようとする課題】
【０００４】
しかしながら、前記従来例では、例えば電子マネーの入金処理に異常が発生したにも拘らず、入金処理が正常に終了したと誤認した利用者がその場を離れた場合でも投入貨幣を単に返却しているので、返却された投入貨幣を誰でも取出すことが可能になり、投入貨幣が第三者によって持ち去られるという問題点があった。
【０００５】
本発明は前記問題点に鑑みてなされたものであり、その目的とするところは、電子マネーの入金処理に異常が発生したときに返却された投入貨幣が持ち去られることのない電子マネー入金機を提供することにある。
【課題を解決するための手段】
【０００６】
本発明は、前記目的を達成するために電子マネーサービスで用いられる電子マネーの残高が記憶された記憶媒体に対してデータの読み書きを行うリーダライタを備え、リーダライタを介して投入貨幣の金額を記憶媒体の電子マネー残高に加算することにより電子マネーの入金処理を行うようにした電子マネー入金機において、投入貨幣を収容する貨幣収容部と、貨幣を投入した利用者を検出する利用者検出部と、前記入金処理に異常が発生したときに投入貨幣を返却可能にするとともに、投入貨幣が返却可能な状態において利用者が利用者検出部によって検出されなかった場合に、投入貨幣を貨幣収容部に格納するように制御する制御手段とを備えている。
【０００７】
これにより、電子マネーの入金処理に異常が発生したことにより投入貨幣が返却可能な状態において、利用者が利用者検出部によって検出されなかった場合には、投入貨幣が貨幣収容部に格納されることから、例えば、電子マネーの入金処理に異常が発生したにも拘らず、入金処理が正常に終了したと誤認した利用者がその場を離れた場合には、投入貨幣を貨幣収容部に格納することが可能となる。
【発明の効果】
【０００８】
本発明によれば、例えば、電子マネーの入金処理に異常が発生したにも拘らず、入金処理が正常に終了したと誤認した利用者がその場を離れた場合には、投入貨幣を貨幣収容部に格納することができるので、返却された投入貨幣が自由に取出されることを防止することができ、投入貨幣が第三者によって持ち去られることを確実に防止することができる。
【発明を実施するための最良の形態】
【０００９】
図１乃至図７は本発明の一実施形態を示すもので、図１は電子マネー入金機の斜視図、図２は電子マネー入金機の機能構成図、図３は非接触ＩＣカードの機能構成図、図４は履歴情報のデータ構造の一例を示す図、図５は金額情報のデータ構造の一例を示す図、図６は制御部の動作を説明するフロー図、図７は表示部に表示される情報を示す図である。
【００１０】
本実施形態の電子マネー入金機１００は、投入紙幣の金額を非接触ＩＣカード１０の電子マネー残高に加算することにより電子マネーの入金処理を行うものである。
【００１１】
電子マネー入金機１００は、図１に示すように、その前面に電子マネーの入金処理を開始するための入金ボタン１０１と、紙幣を投入した利用者を検出する利用者検出部としての人感センサ１０２と、入金処理に関する情報を表示する表示部１０３と、紙幣投入口１０４と、入金処理の結果が印字されたレシートを排出するためのレシート排出口１０５と、前面を開口したカード載置部１０６とを備えている。また、図２に示すように、電子マネー入金機１００の内部には、リーダライタ１１０と、紙幣識別装置１２０と、記憶部１３０と、レシート印刷部１４０と、通信装置１５０と、制御部１６０とが設けられており、制御部１６０には、上記各機器が接続されている。さらに、電子マネー入金機１００は、ネットワーク２００を介して電子マネーサービスの管理サーバ３００と接続されている。
【００１２】
非接触ＩＣカード１０には、リーダライタ１１０との間で非接触で信号を送受信するためのコイル状のアンテナ（図示省略）と、アンテナに接続されたＩＣチップとが埋設されている。このＩＣチップには、図３に示すように、ＩＣチップ内の回路を制御するＩＣカード制御部１１と、各種情報を記憶するＩＣカード記憶部１２とが設けられている。
【００１３】
ＩＣカード制御部１１はＣＰＵ及びＲＡＭ、ＲＯＭ等のメモリを備え、非接触ＩＣカード１０の外部からアンテナを介して受信したＩＣカード用コマンドに応じてＩＣカード記憶部１２に記憶された各種情報の更新、または読出し処理を行う。
【００１４】
ＩＣカード記憶部１２は、ＥＥＰＲＯＭ等の書き換え可能な記憶素子であり、電子マネー残高１２ａと利用者ＩＤ１２ｂが記憶されている。利用者ＩＤ１２ｂは電子マネーサービスの利用者を識別するためのものであり、複数の非接触ＩＣカード１０毎にそれぞれ異なるＩＤが付与されている。
【００１５】
次に、電子マネー入金機１００に設けられた各機器について説明する。入金ボタン１０１は、電子マネーの入金処理を指示するためのものであり、押下されると所定の入金指示信号を制御部１６０に送信するようになっている。
【００１６】
人感センサ１０２は、人体からの熱放射を赤外線により感知する周知のセンサであり、検出可能な範囲内に存在する人を検出すると、所定の検出信号を制御部１６０に送信する。なお、人感センサ１０２の起動は、制御部１６０によって制御される。
【００１７】
表示部１０３は周知の液晶ディスプレイ等の表示機器であり、制御部１６０から受信した情報を表示する。
【００１８】
リーダライタ１１０は、カード載置部１０６の下部に設けられており、カード載置部１０６に載置された非接触ＩＣカード１０との間でＩＣカード用コマンド及びデータの送受信を行う。リーダライタ１１０には、非接触ＩＣカード１０との間で非接触で信号を送受信するためのアンテナ（図示省略）が設けられており、制御部１６０から受信したＩＣカード用コマンドをアンテナを介して非接触ＩＣカード１０に送信するとともに、非接触ＩＣカード１０からアンテナを介して受信したデータを制御部１６０に送信する。
【００１９】
紙幣識別装置１２０は、紙幣投入口１０４に投入された紙幣の正当性及び金種を識別するためのものであり、投入紙幣を正当であると識別したときに投入紙幣の金額を表す情報を制御部１６０に送信する。また、紙幣識別装置１２０には、投入紙幣を収容する紙幣収容部１２１が設けられており、紙幣識別装置１２０は、制御部１６０から所定の紙幣収容信号を受信した場合に、投入紙幣を紙幣収容部１２１に収容する。さらに、紙幣識別装置１２０は、制御部１６０から所定の紙幣返却準備信号を受信すると、投入紙幣を紙幣投入口１０４の近傍まで搬出することにより、投入紙幣を返却可能にする。さらにまた、紙幣識別装置１２０は、制御部１６０から所定の紙幣返却信号を受信すると、投入紙幣の一部を紙幣投入口１０４から露出させることにより投入紙幣を利用者に返却するようになっている。この場合、投入紙幣の他の部分は紙幣識別装置１２０によって支持されており、紙幣識別装置１２０は、この状態において制御部１６０から紙幣収容信号を受信すると、投入紙幣を回収して紙幣収容部１２１に収容する。なお、紙幣投入口１０４には、紙幣投入口１０４に存在する紙幣を検出するためのセンサ（図示省略）が設けられており、センサは、紙幣を検出すると、所定の紙幣検出信号を制御部１６０に送信する。
【００２０】
記憶部１３０はＥＥＰＲＯＭ等の書き換え可能な記憶素子であり、図４に示すような履歴情報１３１と、図５に示すような金額情報１３２とが記憶されている。履歴情報１３１は複数の履歴レコードからなり、各履歴レコードは、履歴レコードの番号を表す履歴情報ＩＤと、非接触ＩＣカード１０の利用者ＩＤ１２ｂと、取引日付と入金額とから構成されている。また、履歴情報１３１は、電子マネーの入金処理が正常に終了する毎に１件の履歴レコードが追記されるようになっている。金額情報１３２は複数の金額レコードからなり、各金額レコードは、金額レコードの番号を表す金額情報ＩＤと、非接触ＩＣカード１０の利用者ＩＤ１２ｂと、取引日付と、投入金額とから構成されている。また、金額情報１３２は、電子マネーの入金処理に異常が発生し、且つ返却された投入金額が紙幣識別装置１２０の紙幣収容部１２１に収容される毎に１件の金額レコードが追記されるようになっている。なお、記憶部１３０には、入金処理に関する操作内容及び処理内容を平仮名及び漢字、または片仮名を用いて表された複数の文字情報が記憶されており、履歴情報１３１、金額情報１３２及び各文字情報は、制御部１６０によって読出されるようになっている。
【００２１】
レシート印刷部１４０は、入金処理の結果を所定の用紙に印刷する周知のプリンタであり、制御部１６０から受信した情報を前記用紙に印刷した後に、この用紙をレシートとしてレシート排出口１０５から排出する。
【００２２】
通信装置１５０は、ネットワーク２００に接続するためのモデム等の通信機器であり、ネットワーク２００を介して管理サーバ３００との間で通信を行うようになっている。なお、本実施形態では、ネットワーク２００として公衆回線網を用いており、これに対応してモデムを通信装置１５０として用いている。
【００２３】
制御部１６０は、電子マネー入金機１００の全体を制御するためのものであり、ＣＰＵ及びＲＡＭ、ＲＯＭ等のメモリとともに、入金処理を行ったときの日付（取引日付）を取得するためのタイマー回路（図示省略）を備えている。また、制御部１６０は、自己のメモリに格納されたデータ及びプログラムに基づいて上記の各機器を制御するようになっている。メモリの書き換え不可の領域には、後述する複数のＩＣカード用コマンド等が格納されているが、これに限定されず、これらのコマンド等を記憶部１３０に記憶しておき、制御部１６０が必要に応じて記憶部１３０から各コマンドを読み込むようにしてもよい。なお、制御部１６０の動作の詳細については後述する。
【００２４】
管理サーバ３００は、電子マネーサービスを管理するためのサーバであり、ネットワーク２００接続用の通信装置３１０と、管理サーバ３００の全体を制御するためのサーバ制御部３２０と、各種情報を記憶するサーバ記憶部３３０とから構成されている。
【００２５】
通信装置３１０は、電子マネー入金機１００の通信装置１５０と同様に、ネットワーク２００に接続するためのモデム等の通信機器であり、ネットワーク２００を介して電子マネー入金機１００との間で通信を行うようになっている。
【００２６】
サーバ制御部３２０は、ＣＰＵ及びＲＡＭ、ＲＯＭ等のメモリを備え、ネットワーク２００及び通信装置３１０を介して電子マネー入金機１００から受信した履歴情報１３１及び金額情報１３２をサーバ記憶部３３０に記憶する。
【００２７】
サーバ記憶部３３０はＥＥＰＲＯＭ等の書き換え可能な記憶素子であり、電子マネー入金機１００から送信された履歴情報１３１及び金額情報１３２が記憶されている。
【００２８】
以上のように構成された電子マネー入金機１００では、紙幣投入口１０４に投入された紙幣の金額を非接触ＩＣカード１０の電子マネー残高１２ａに加算することにより、電子マネーの入金処理を行う。また、電子マネー入金機１００は、電子マネーの入金処理に異常が発生したときに、投入紙幣を紙幣投入口１０４から返却するとともに、投入紙幣が返却された状態において利用者が人感センサ１０２によって検出されなかった場合に、投入紙幣を紙幣収容部１２１に格納するようになっている。さらに、この電子マネー入金機１００は、金額情報１３２に記憶された投入金額を非接触ＩＣカード１０の電子マネー残高１２ａに加算することができるようになっている。以下に、電子マネー入金機１００の動作について図６及び図７を参照して説明する。
【００２９】
まず、電子マネー入金機１００に電源が投入されると、制御部１６０は、図７（ａ）に示すように、非接触ＩＣカード１０をカード載置部１０６に載置するように案内するメッセージを表示部１０３に表示させる（ステップＳ１）。この場合、制御部１６０は、非接触ＩＣカード１０をカード載置部１０６に載置するように案内する文字情報を記憶部１３０から抽出して表示部１０３に表示させる。また、制御部１６０は、非接触ＩＣカード１０から所定の応答信号を取得するためのＩＣカード用コマンドをリーダライタ１１０を介して非接触ＩＣカード１０に送信する。なお、本実施形態では、非接触ＩＣカード１０固有のカードＩＤ（図示省略）を応答信号として用いている。
【００３０】
次に、利用者がカード載置部１０６に非接触ＩＣカード１０を載置すると、非接触ＩＣカード１０のＩＣカード制御部１１は、リーダライタ１１０から受信したＩＣカード用コマンドに対して応答信号を送信する。制御部１６０は、リーダライタ１１０を介して非接触ＩＣカード１０から応答信号を受信することにより、非接触ＩＣカード１０を検出する（ステップＳ２）。
【００３１】
次いで、制御部１６０は、管理サーバ３００に問い合わせを行う（ステップＳ３）。具体的に説明すると、制御部１６０は、まず電子マネー残高１２ａ及び利用者ＩＤ１２ｂを読出すためのＩＣカード用コマンドを、リーダライタ１１０を介して非接触ＩＣカード１０に送信する。一方、非接触ＩＣカード１０のＩＣカード制御部１１は、前記ＩＣカード用コマンドを受信すると、ＩＣカード記憶部１２の電子マネー残高１２ａ及び利用者ＩＤ１２ｂをリーダライタ１１０に送信する。そして、制御部１６０は、リーダライタ１１０を介して非接触ＩＣカード１０から受信した各情報１２ａ，１２ｂをＲＡＭに記憶する。次に、制御部１６０は、利用者ＩＤ１２ｂを通信装置１５０を介して管理サーバ３００に送信する。管理サーバ３００のサーバ制御部３２０は、電子マネー入金機１００から利用者ＩＤ１２ｂを受信すると、受信した利用者ＩＤ１２ｂと同一の利用者ＩＤを有する金額レコードをサーバ記憶部３３０の金額情報１３２から抽出して、抽出した金額レコードを電子マネー入金機１００に送信する。なお、受信した利用者ＩＤ１２ｂと同一の利用者ＩＤを有する金額レコードが金額情報１３２に存在しない場合には、サーバ制御部３２０は、金額レコードが存在しないことを表すデータを電子マネー入金機１００に送信する。
【００３２】
次に、制御部１６０は、金額レコードを受信したか否かを判別し（ステップＳ４）、金額レコードが存在しないことを表すデータを受信した場合には、図７（ｂ）に示すように非接触ＩＣカード１０から受信した電子マネー残高１２ａと、現金によるチャージを案内するメッセージとを表示部１０３に表示させる（ステップＳ５）。そして、利用者が紙幣投入口１０４に紙幣を投入すると（ステップＳ６）、紙幣識別装置１２０は、投入紙幣の正当性及び金種を識別し、投入紙幣の正当性を判別した場合には、投入紙幣の金額を表す情報を制御部１６０に送信する。そして、制御部１６０は、図７（ｃ）に示すように、紙幣識別装置１２０から受信した情報を表示部１０３に表示させる（ステップＳ７）。また、制御部１６０は、入金ボタン１０１が押下されるまで上記ステップＳ６及びステップＳ７の処理を繰り返す。この場合、表示部１０３には投入紙幣の総額が表示される。
【００３３】
そして、制御部１６０は、入金ボタン１０１が押下されることにより入金指示信号を受信すると（ステップＳ８）、非接触ＩＣカード１０に対する電子マネーの入金処理を行う（ステップＳ９）。
【００３４】
ここで、電子マネーの入金処理について具体的に説明する。制御部１６０は、投入紙幣の総額を電子マネー残高１２ａに加算するためのＩＣカード用コマンドをリーダライタ１１０を介して非接触ＩＣカード１０に送信する。一方、ＩＣカード制御部１１は、リーダライタ１１０から前記ＩＣカード用コマンドを受信すると、ＩＣカード用コマンドに含まれた投入紙幣の総額を電子マネー残高１２ａに加算した後に、所定の加算終了信号をリーダライタ１１０に送信する。そして、制御部１６０がリーダライタ１１０を介して加算終了信号を受信することにより、電子マネーの入金処理が正常に終了する。なお、制御部１６０は、電子マネーの入金処理を行っている際に、図７（ｄ）に示すように、非接触ＩＣカード１０をカード載置部１０６から取出さないように案内するメッセージを表示部１０３に表示させる。
【００３５】
また、電子マネーの入金処理が正常に終了した場合には（ステップＳ１０）、制御部１６０は、紙幣収容信号を紙幣識別装置１２０に送信することにより投入紙幣を紙幣収容部１２１に収容する（ステップＳ１１）。このとき、制御部１６０は、利用者ＩＤ１２ｂ、タイマー回路から取得した日付（取引日付）及び投入紙幣の総額（入金額）をレシート印刷部１４０に送信するとともに、これらの情報が記されたレシートをレシート印刷部１４０に印刷させる。次いで、制御部１６０は、履歴情報ＩＤ、利用者ＩＤ１２ｂ、取引日付及び入金額からなる履歴レコードを生成して、記憶部１３０の履歴情報１３１に追記する（ステップＳ１２）。
【００３６】
次に、電子マネーの入金処理に異常が発生した場合の動作について説明する。上記ステップＳ９において、非接触ＩＣカード１０に対して送信されたＩＣカード用コマンドについて非接触ＩＣカード１０からの返信がない場合または非接触ＩＣカード１０から加算終了信号が送信されない場合には、制御部１６０は、電子マネーの入金処理に異常が発生したと判別し、紙幣返却準備信号を紙幣識別装置１２０に送信する。紙幣識別装置１２０は、制御部１６０から紙幣返却準備信号を受信すると、投入紙幣を紙幣投入口１０４の内側まで搬出して返却可能にすることにより、投入紙幣の返却準備を行う（ステップＳ１３）。
【００３７】
そして、制御部１６０は、投入紙幣を返却可能な状態にした後に人感センサ１０２を起動させて、利用者が所定範囲内に存在するか否かを判別する（ステップＳ１４）。この場合、制御部１６０は、人感センサ１０２から検出信号を受信することにより、利用者が所定範囲内に存在すると判別する。また、制御部１６０は、リーダライタ１１０を介して非接触ＩＣカードから利用者ＩＤ１２ｂを受信することにより、非接触ＩＣカード１０の検出処理を行う（ステップＳ１５）。このとき、制御部１６０は、受信した利用者ＩＤ１２ｂと、ステップＳ３において取得した利用者ＩＤ１２ｂとを比較して、互いに同一の場合には非接触ＩＣカード１０を検出したと判別し、互いに異なる場合または非接触ＩＣカード１０から利用者ＩＤ１２ｂを受信することができない場合には非接触ＩＣカード１０が検出されなかったと判別する。
【００３８】
なお、制御部１７０は、ステップＳ１４において利用者を検出した場合またはステップＳ１５において非接触ＩＣカード１０を検出した場合に、紙幣識別装置１２０に紙幣返却信号を送信することにより投入紙幣を返却する（ステップＳ１６）。この場合、投入紙幣の一部が紙幣投入口１０４から露出していることにより、利用者は、投入紙幣を紙幣投入口１０４から取出すことが可能となる。なお、制御部１６０は、図７（ｅ）に示すように、投入紙幣及び非接触ＩＣカード１０を取出すよう案内するメッセージを表示部１０３に表示させる。
【００３９】
次に、制御部１６０は、利用者及び非接触ＩＣカード１０が検出されない状態で紙幣投入口１０４に設けられたセンサから紙幣検出信号を受信した場合に（ステップＳ１７）、紙幣識別装置１２０に紙幣収容信号を送信することにより、返却可能状態または紙幣投入口１０４から露出した状態の投入紙幣を紙幣収容部１２１に収容する（ステップＳ１８）。そして、制御部１６０は、金額情報ＩＤ、利用者ＩＤ１２ｂ、タイマー回路から取得した日付（取引日付）及び投入紙幣の総額（投入金額）からなる金額レコードを生成して、記憶部１３０の金額情報１３２に追記する（ステップＳ１９）。
【００４０】
次いで、金額情報１３２に記憶された投入金額を非接触ＩＣカード１０に加算する場合の動作について説明する。制御部１６０は、上記ステップＳ３において
金額レコードを管理サーバ３００から受信すると、図７（ｆ）に示すように金額レコード内の投入金額のチャージを案内するメッセージを表示部１０３に表示させる（ステップＳ２０）。そして、利用者が入金ボタン１０１を押下すると（ステップＳ２１）、制御部１６０は、電子マネーの入金処理を行う（ステップＳ２２）。この場合、制御部１６０は、金額レコードの投入金額を電子マネー残高１２ａに加算するためのＩＣカード用コマンドをリーダライタ１１０を介して非接触ＩＣカード１０に送信する。一方、ＩＣカード制御部１１は、リーダライタ１１０から前記ＩＣカード用コマンドを受信すると、ＩＣカード用コマンドに含まれた投入金額を電子マネー残高１２ａに加算した後に、加算終了信号をリーダライタ１１０に送信する。そして、制御部１６０は、リーダライタ１１０を介して加算終了信号を受信すると、投入金額に対応する金額情報ＩＤを含む所定の金額レコード削除信号を管理サーバ３００に送信する。管理サーバ３００のサーバ制御部３２０は、金額レコード削除信号を受信すると、レコード削除信号に含まれる金額情報ＩＤに対応する金額レコードをサーバ記憶部３３０から消去して、所定の消去終了信号を電子マネー入金機１００に送信する。そして、制御部１６０が消去終了信号を受信することにより、電子マネーの入金処理が正常に終了する。
【００４１】
なお、上記フローでは説明を省略したが、制御部１６０は、ステップＳ１２及びステップＳ１９のそれぞれで記憶した履歴情報１３１及び金額情報１３２を任意時に管理サーバ３００に送信する。管理サーバ３００のサーバ制御部３２０は、受信した履歴情報１３１及び金額情報１３２をサーバ記憶部３３０に記憶する。
【００４２】
また、上記ステップＳ３において複数の金額レコードが管理サーバ３００から送信された場合には、制御部１６０は、入金ボタン１０１が押下されたときに各金額レコードの投入金額の総和を非接触ＩＣカード１０の電子マネー残高１２ａに加算してもよい。さらに、金額レコードを選択するための選択ボタンを電子マネー入金機１００の前面に設け、選択ボタンによって選択された金額レコードの投入金額を電子マネー残高１２ａに加算してもよい。
【００４３】
このように、本実施形態の電子マネー入金機１００によれば、投入紙幣を収容する紙幣収容部１２１と、紙幣を投入した利用者を検出する人感センサ１０２と、電子マネーの入金処理に異常が発生したときに投入貨幣の返却準備を行うとともに、投入紙幣の返却準備中の状態において利用者が人感センサ１０２によって検出されなかった場合に、投入紙幣を紙幣収容部１２１に格納するように制御する制御部１６０とを備えたので、例えば、電子マネーの入金処理に異常が発生したにも拘らず、入金処理が正常に終了したと誤認した利用者がその場を離れた場合には、投入紙幣を紙幣収容部１２１に格納することができる。従って、返却された投入紙幣が自由に取出されることを防止することができ、投入紙幣が第三者によって持ち去られることを確実に防止することができる。
【００４４】
また、制御部１６０を、投入紙幣の返却準備中の状態において利用者が人感センサ１０２によって検出されず、且つリーダライタ１０１を介して通信可能な非接触ＩＣカード１０が存在しない場合に、投入紙幣を紙幣収容部１２１に格納するように構成したので、例えば、利用者が人感センサ１０２によって検出されない位置に偶然いた場合でも、利用者の非接触ＩＣカード１０とリーダライタ１０１が互いに通信可能であれば投入紙幣が紙幣収容部１２１に格納されることがない。従って、投入紙幣を確実に返却することができるので、利用者の利便性を向上させることができる。
【００４５】
さらに、制御部１６０を、投入紙幣の返却準備中の状態において利用者が人感センサ１０２によって検出されなかった場合に、投入紙幣を紙幣収容部１２１に格納するとともに投入紙幣の金額を記憶部１３０に記憶するように構成したので、例えば、記憶部１３０に記憶された投入紙幣の金額に基づいて、利用者に対して投入紙幣を別途返却することが運用上可能となることから、利用者の利便性を向上させることができる。
【００４６】
さらにまた、投入紙幣の金額を記憶するサーバ記憶部３３０をネットワーク２００で接続された管理サーバ３００に設けたので、利用者によって取出されることなく紙幣収容部１２１に格納された投入紙幣の金額を管理サーバ３００が一括して管理することができ、利用者に対して投入紙幣を別途返却することを容易に行うことができる。
【００４７】
また、制御部１６０を、投入紙幣の返却準備中の状態において利用者が人感センサ１０２によって検出されなかった場合に、リーダライタ１１０を介して読み出された非接触ＩＣカード１０の利用者ＩＤ１２ｂと投入紙幣の金額をサーバ記憶部３３０に記憶した後、非接触ＩＣカード１０の利用者ＩＤ１２ｂがリーダライタ１１０を介して読み出されると、利用者ＩＤ１２ｂとともに記憶された投入紙幣の金額を非接触ＩＣカード１０の電子マネー残高１２ａに加算可能に構成したので、サーバ記憶部３３０に記憶された投入紙幣の金額を用いて電子マネーの入金処理を別途行うことができ、利用者の利便性をより向上させることができる。
【００４８】
なお、上記実施形態は本発明の一具体例に過ぎず、本発明が上記実施形態のみに限定されることはない。例えば、前記実施形態では、記憶媒体として非接触ＩＣカード１０を用いたものを示したが、他にもＲＦＩＤ（Ｒａｄｉｏ  Ｆｒｅｑｕｅｎｃｙ  Ｉｄｅｎｔｉｆｉｃａｔｉｏｎ）タグやＩＣチップを搭載した携帯電話等を記憶媒体として用いてもよい。
【００４９】
また、前記実施形態では、管理サーバ３００に記憶された金額レコードを用いて電子マネーの入金処理を行うものを示したが、記憶部１３０に記憶された金額情報１３２の金額レコードを用いて電子マネーの入金処理を行うようにしてもよい。この場合、金額レコードをサーバ記憶部３３０に記憶するか又は記憶部１３０に記憶するかについては、制御部１６０に接続されたスイッチ等の設定手段を設けることにより適宜変更可能に構成してもよい。
【００５０】
さらに、前記実施形態では、電子マネーの入金処理に異常が発生した場合に紙幣返却準備を行って投入紙幣を返却可能な状態にするものを示したが、投入紙幣の一部を紙幣返却口１０４から露出させることにより返却可能な状態にするように構成してもよい。
【００５１】
さらにまた、前記実施形態では、紙幣のみを用いたものを示したが、硬貨を用いた場合にも適用可能であることは言うまでもない。
【図面の簡単な説明】
【００５２】
【図１】本発明の一実施形態を示す電子マネー入金機の斜視図
【図２】電子マネー入金機の機能構成図
【図３】非接触ＩＣカードの機能構成図
【図４】履歴情報のデータ構造の一例を示す図
【図５】金額情報のデータ構造の一例を示す図
【図６】制御部の動作を説明するフロー図
【図７】表示部に表示される情報を示す図
【符号の説明】
【００５３】
１０…非接触ＩＣカード、１２…ＩＣカード記憶部、１２ａ…電子マネー残高、１２ｂ…利用者ＩＤ、１０２…人感センサ、１０４…紙幣投入口、１１０…リーダライタ、１２１…紙幣収容部、１３０…記憶部、１３２…金額情報、１６０…制御部、２００…ネットワーク、３００…管理サーバ、３３０…サーバ記憶部。
【図１】
2008234107.tif 000003
【図２】
2008234107.tif 000004
【図３】
2008234107.tif 000005
【図４】
2008234107.tif 000006
【図５】
2008234107.tif 000007
【図６】
2008234107.tif 000008
【図７】
2008234107.tif 000009